(57)【要約】【課題】ガススプリングの交換を容易にして保守性に優れる歯科用照明装置を提供する。【解決手段】口腔内を照明可能な歯科用照明装置１０であって、光源を有する照明ヘッド１３と、一端側が照明ヘッドに連結され、他端側はリンク機構を備えて回動可能とされるアーム２０と、を備え、アームは、ケース２１、２２と、ケースの内側に配置され、リンク機能に作用してアームを所定の位置に留めて保持可能とする保持力を生じるガススプリング４０と、ガススプリングの端部に備えられる一対の保持部材３０、５０と、を有し、ガススプリングは一対の保持部材により挟持されることによりリンク機構に対して保持力を発生するとともに、挟持の状態を解除することにより保持力を除荷して該ガススプリングをアームから離脱することができることを特徴とする。【選択図】図３
2010075276.tif 000002
【特許請求の範囲】
【請求項１】
口腔内を照明可能な歯科用照明装置であって、光源を有する照明ヘッドと、一端側が前記照明ヘッドに連結され、他端側はリンク機構を備えて回動可能とされるアームと、を備え、
前記アームは、ケースと、前記ケースの内側に配置され、前記リンク機構に作用して前記アームを所定の位置に留めて保持可能とする保持力を生じるガススプリングと、
前記ガススプリングの端部に備えられる一対の保持部材と、を有し、
前記ガススプリングは前記一対の保持部材により挟持されることにより前記リンク機構に対して前記保持力を発生するとともに、前記挟持の状態を解除することにより前記保持力を除荷して該ガススプリングを前記アームから離脱することができることを特徴とする歯科用照明装置。
【請求項２】
前記ガススプリングの前記挟持の状態が解除されることにより、前記リンク機構の構成要素を前記アームから取り外すことなく前記アームから前記ガススプリングを離脱させることができることを特徴とする請求項１に記載の歯科用照明装置。
【請求項３】
前記一対の保持部材は、前記ガススプリングの一端側に備えられる第一保持部材、及び他端側に備えられる第二保持部材であり、前記ガススプリングは前記第一保持部材と前記第二保持部材とにより前記挟持がなされるとともに、
前記第一保持部材又は前記第二保持部材の少なくとも一方において、前記ガススプリングに接触する部位が、前記ガススプリングが発生させる反力に平行である方向に移動可能に形成されていることを特徴とする請求項１又は２に記載の歯科用照明装置。
【発明の詳細な説明】
【技術分野】
【０００１】
本発明は、歯科において口腔内を照明する歯科用照明装置に関し、詳しくは照明ヘッドを任意の位置に留めて保持するために備えられるアームの保守作業が容易である歯科用照明装置に関する。
【背景技術】
【０００２】
歯科治療等の際に口腔内を照明する装置として歯科用照明装置が用いられる。歯科用照明装置は例えば次のように構成されている。支柱を備えるとともにこの支柱の上端に該支柱に対して回動可能に設けられた第一アームが設けられる。さらに、該第一アームの先端に配置され、この第一アームに対して回動可能に設けられた第二アームとを有し、該第二アームの先端に光源を具備する照明ヘッドが取り付けられている。
【０００３】
ここで、当該第二アームにはガススプリング等のスプリング類が配置され、該ガススプリングの反力により、第二アームに保持力を付与することができる。これにより術者が照明ヘッドを適切な位置に移動させるとともに、該照明ヘッドをその位置に保持させることが可能となっている。例えば非特許文献１には、スプリングを備えた医用光学機器が開示されている。これによれば、アームを用いて光学機器を所定の位置に移動させることができるとともに、アーム内に配置されたスプリング等の機器により、該アームや光源を所定の位置に保持させることが可能である。ここでは当該保持力を得るためにスプリングが用いられている。
【非特許文献１】岡野清、菅谷昭正著、「これからの歯科医院」、株式会社学建書院、１９９３年５月２５日、Ｐ８２、Ｐ１０７（図５−２０）
【発明の開示】
【発明が解決しようとする課題】
【０００４】
このように、歯科用のユニットでは機能面だけでなく、その外観も重要であることからこのようなスプリング等の各機器はアームの内側に配置され、外観から隠蔽するように構成される。そしてこれに伴って比較的狭いスペースに各機器を取り付ける必要があった。
【０００５】
そのため、非特許文献１で示したような従来の歯科用のユニットでは、スプリングをはじめとする各機器は、一度設置されてしまうと取り外しが困難な状態でアームに配置される場合が多く、ガススプリングを用いた場合には、ガス抜け等が生じ得るので定期的な交換が必要であり、当該交換やメンテナンス等のための作業が困難であった。その際には、例えば他の機器を含めた全てを取り外さないとガススプリングを外せないこともあり、作業の煩雑を生じていた。
【０００６】
そこで、本発明はかかる問題点に鑑み、ガススプリングの交換を容易にして保守性に優れる歯科用照明装置を提供することを課題とする。
【課題を解決するための手段】
【０００７】
以下、本発明について説明する。なお、本発明の理解を容易にするために添付図面の参照符号を付記するが、それにより本発明が図示の形態に限定されるものではない。
【０００８】
請求項１に記載の発明は、口腔内を照明可能な歯科用照明装置１０であって、光源を有する照明ヘッド１３と、一端側が照明ヘッドに連結され、他端側はリンク機構を備えて回動可能とされるアーム２０と、を備え、アームは、ケース２１、２２と、ケースの内側に配置され、リンク機構に作用してアームを所定の位置に留めて保持可能とする保持力を生じるガススプリング４０と、ガススプリングの端部に備えられる一対の保持部材３０、５０と、を有し、ガススプリングは一対の保持部材により挟持されることによりリンク機構に対して保持力を発生するとともに、挟持の状態を解除することにより保持力を除荷して該ガススプリングをアームから離脱することができることを特徴とする歯科用照明装置を提供することにより前記課題を解決する。
【０００９】
請求項２に記載の発明は、請求項１に記載の歯科用照明装置１０において、ガススプリング４０の挟持の状態が解除されることにより、リンク機構の構成要素をアーム２０から取り外すことなくアームからガススプリングを離脱させることができることを特徴とする。
【００１０】
請求項３に記載の発明は、請求項１又は２に記載の歯科用照明装置１０において、一対の保持部材３０、５０は、ガススプリング４０の一端側に備えられる第一保持部材３０、及び他端側に備えられる第二保持部材５０であり、ガススプリングは第一保持部材と第二保持部材とにより前記挟持がなされるとともに、第一保持部材又は第二保持部材の少なくとも一方において、ガススプリングに接触する部位が、ガススプリングが発生する反力に平行である方向に移動可能に形成されていることを特徴とする。
【発明の効果】
【００１１】
本発明の歯科用照明装置によれば、ガススプリング４０が挟持されることにより反力（保持力）を生じているので、通常には適切に保持力を得ることができる。一方、ガススプリングを交換等するときには、当該挟持の状態を解除するのみでよく、又は挟持する力を調整するのみで保持力を調整することもできる。従って、ガススプリングの保守や交換を容易に行うことが可能となる。
【００１２】
本発明のこのような作用及び利得は、次に説明する発明を実施するための最良の形態から明らかにされる。
【発明を実施するための最良の形態】
【００１３】
以下、本発明を図面に示す実施形態に基づき説明する。ただし本発明はこれら実施形態に限定されるものではない。
【００１４】
図１は、１つの実施形態にかかる歯科用照明装置１０の外観図である。歯科用照明装置１０は、支柱１１、第一アーム１２、第二アーム２０、及び照明ヘッド１３を備えている。以下に詳しく説明する。
【００１５】
支柱１１は、歯科用照明装置１０を床や歯科ユニット等に据え付けるために設けられた柱である。従って歯科用照明装置が安定して配置される程度の剛性や強度を備えている。そして、その一端は床や歯科ユニット等に固定されている。また、支柱は中空となっておりその内側に配線等が通されている。
【００１６】
第一アーム１２は、管状の長尺部材で、その一端が支柱１１の端部のうち床や歯科ユニット等に固定されていない側の端部に取り付けられている。ここで、第一アーム１２は、該第一アーム１２の長手方向が、支柱１１の長手方向に略直交するように取り付けられるとともに、第一アーム１２は当該直交する面内を回動することができるようにされている。これにより後述する第二アーム２０と合わせて、照明ヘッド１３を必要な位置に移動させることが可能となる。また、管状である内側には配線等が通されている。
【００１７】
第二アーム２０も管状の部材で、その一端近傍が第一アーム１２の他端近傍に取り付けられている。ここで、第二アーム２０は、該第二アーム２０の長手方向が第一アーム１２の長手方向に略直交するように取り付けられる。このとき、第二アーム２０は取り付けられた部位を中心に、第一アーム１２の長手方向に平行な面内、及び直交する面内を回動することができるようにされている。これにより上述した第一アーム１２と合わせて、照明ヘッド１３を必要な位置に移動させることが可能となる。このような回動自在に形成するためには、いわゆる自在継手を用いることができる。また、管状である外郭を形成するケース２１、２２の内側には後で詳しく説明するように各機能を有する部材が備えられている。
【００１８】
照明ヘッド１３は、光源を備えることにより光を出射する部位であり、その外観視では、保持部材１４、把手１５、１５、フレーム１６、前面パネル１７、及びカバー１８を備えている。
保持部材１４は、フレーム１６と第二アーム２０とを連結する部材である。本実施形態では弓状に曲げられた部材の凸状の一部が第二アーム２０の他端側に取り付けられ、該弓状の両端部がフレーム１６に連結されている。第二アーム２０と保持部材１４とは、その取り付け部分で保持部材１４が首振り及び回動自在に取り付けられ、利用時の便宜が図られている。
【００１９】
把手１５、１５は、フレーム１６の背面部（第二アーム２０側）から照明ヘッド１３の前面側（出光面側）に延在し、いわゆる持ち手を形成する部材である。使用者は当該把手１５、１５を掴んで照明ヘッド１３を引き寄せたり押し戻したりして任意の位置に移動させることができる。
【００２０】
フレーム１６は椀状の部材で、その外側には上記のように保持部材１４や把手１５、１５が具備されている。一方、フレームの内側には光源が配置されている。
【００２１】
前面パネル１７は、椀状である上記フレーム１６の前面側開口部にかぶせられるように配置されるパネルであり、光を透過可能に形成されている。光源から出射された照明光が前面パネル１７を透過して照明として出光される。ここで、前面パネル１７を透過して出光される光は、フレーム１６の内側に設けられた反射板により、光源からの光が反射された反射光であり、当該反射板の作用によりいわゆる無影灯として機能するものとなっている。
【００２２】
カバー１８は、前面パネル１７の略中央で該前面パネル１７の前面側に備えられ、光を透過しない材料により形成されている。カバー１８は、特に光源の正面に配置され、光源から直接外部に出光しようとする光を遮断している。
【００２３】
外観において歯科用照明装置１０は以上のような構成を備えている。また、上記したように支柱１１、第一アーム１２、第二アーム２０は中空状に形成されて、各種部材がその内側に隠蔽されて配置されている。これにより、外観が良好である歯科用照明装置１０を提供することができる。以下、第二アーム２０の内側に配置されている各部材について説明する。図２は、図１で示した歯科用照明装置１０の第二アーム２０のケース２１、２２を除外して表した図である。また図３は、図２のうち当該第二アーム２０の部分を拡大して示した図である。図１〜図３及び適宜示す図を参照しつつ第二アーム２０についてさらに詳しく説明する。
【００２４】
第二アーム２０は、ケース２１、２２の他、基体２３、２３、ブレーキ２４、第一保持部材３０、ガススプリング４０、第二保持部材５０、エアシリンダ２８、リミットスイッチ２９、連結アーム６０、６５を備えている。
【００２５】
基体２３、２３は、ケース２１、２２の内側の長手方向に沿って略平行に延在する２枚の平板状の長尺部材で、後述する連結アーム６０、６５の基体側軸６１、６３で、該連結アーム６０、６５に軸着されるとともに２枚である基体２１、２２も互いに連結されている。基体２３、２３は、第二アーム２０の内郭の骨子を形成している。
そして、基体２３、２３の間にブレーキ２４、第一保持部材３０、ガススプリング４０、第二保持部材５０、エアシリンダ２８、及びリミットスイッチ２９が配置されている。また、基体２３、２３の側面には所定の間隔で孔２３ａ、２３ａ、…が設けられている。これにより、基体２３、２３の軽量化、すなわち第二アーム２０の軽量化を図ることが可能となる。さらに、ガススプリング４０と第二保持部材５０とが連結される部位には、長手方向に長いスリット２３ｂ、２３ｂが設けられている。当該スリット２３ｂ、２３ｂについては後で説明する。
【００２６】
ブレーキ２４は、第二アーム２０の上下動に対して適切な抵抗を与える部材である。具体的には基体２３、２３に当該抵抗力を作用させて第二アーム２０を任意の位置に留めて保持することができる。このようなブレーキ２４の作用は、後で詳しく説明するガススプリング４０の作用と共通するものであるが、当該ブレーキ２４は、ガススプリング４０の当該保持力を補助する位置づけで備えられている。これにより、仮にガススプリング４０に不具合（ガス抜けによる保持力の低下）があっても、ブレーキ２４によって第二アーム２０の降下を防止することができる。当該ブレーキはリンク機構に対してその移動・回動に抵抗を与えることができるような機器であれば特に限定されるものではない。その中でも本実施形態では、図４に示したようなブレーキ２４を適用している。ブレーキ２４は、直方体状の本体２５、弾性部材２６、２６、及び連結部材２７、２７、２７、２７を有している。本体２５には、その上下を貫通する孔２５ｂ、２５ｂ、２５ｂ、２５ｂが設けられ、ここにネジ等の固定部材を通して本体２５をケース２２に固定する。さらに、本体２５には、２枚の基体間を渡す方向に貫通孔２５ａが設けられこの中に弾性部材２６、２６が挿入されるとともに、その両端を連結部材２７、２７、２７、２７でおさえる。また、連結部材２７、２７、２７、２７はその一端が本体２５から突出するように形成されており、当該突出した部分が、基体２３、２３の孔２３ｂ、２３ｂ、…内に挿入され基体２３、２３とブレーキ２４とが連結される。これにより、ブレーキ２４は、ケース２２と基体２３、２３の両方に連結されて、後述するリンク機構においてブレーキをかける役割を有する。
【００２７】
第一保持部材３０は、ガススプリング４０の一端を保持する部材である。図５には第一保持部材３０、ガススプリング４０、及び第二保持部材５０が組み合わされたときの図、図６には第一保持部材３０の分解斜視図をそれぞれ示した。図６からわかるように、第一保持部材３０は、固定部材３１、連結部材３２、連結棒３５、及び昇降操作部材３６を備えている。
【００２８】
固定部材３１は、門型のブロック状の部材でその一側面からこれに対向する側面に貫通し、下面側にも開口する溝３１ｂが設けられている。また、固定部材３１には、該固定部材３１の上面から溝３１ｂに貫通する孔３１ａが備えられている。さらには固定部材３１の上面の４角近傍にも孔３１ｃ、３１ｃ、…が設けられており、不図示のねじにより、固定部材３１とケース２２とを連結している。これにより、ガススプリング４０の一端側が固定部材３１を介してケース２２と連結する。
連結部材３２は、略球状で上下方向に貫通するネジ孔３３ａを具備する昇降部３３と、断面コ字状のガススプリング連結部３４とが備えられる。ガススプリング連結部３４の対向する片の先端部には、底面が半円状である溝３４ａ、３４ａが設けられている。
【００２９】
連結棒３５は、丸棒であり、後述するようにガススプリング４０の一端の貫通孔４３ａに通される。昇降操作部材３６は円柱状の部材で、その外周面にはネジ溝３６ａが形成されている。そしてその上面には工具を差し込み、操作するための操作部３６ｂが設けられている。
【００３０】
このような部材を有する第一保持部材３０は、例えば次のように組み合わされる。すなわち雄ネジ状である昇降操作部材３６のネジ溝３６ａが、雌ネジ状であるネジ孔３３ａに螺合して昇降部３３と連結される。このとき、図６にＤで示した溝３１ｂの幅は、図６にＣで示した昇降部３３の幅より大きく形成されているので、昇降操作部材３６の回動操作により連結部材３２が溝３１ｂ内を昇降することが可能となっている。これにより連結部材３２に連結されるガススプリング４０の一端が固定部材３１を介してケース２２に固定される。
【００３１】
ガススプリング４０は、圧縮ばねタイプの通常のガススプリングである。図７には、ガススプリング４０の外観図を示した。ガススプリング４０は、シリンダ４１、ロッド４２、ロッド側連結部４３、及びシリンダ側連結部４４が設けられている。すなわち、ロッド４２がシリンダ４１内に入子式に組み合わされ、ロッド４２がシリンダ４１内に侵入することにより、シリンダ４１内に具備された高圧ガスが圧縮される。これにより当該ガススプリング４０は反力を発生する。また、ガススプリング４０を他の機器に連結するとともに、ここに生じた反力を当該他の機器にも作用させるために、シリンダ４１及びロッド４２のそれぞれにシリンダ側連結部４４、及びロッド側連結部４３が取りつけられている。具体的には、シリンダ側連結部４４、及びロッド側連結部４３のそれぞれに貫通孔４４ａ、４３ａが設けられ、後述するようにここに連結棒が差し込まれる。
【００３２】
第二保持部材５０は、ガススプリング４０の他端を保持し、これを基体２３、２３に固定する部材である。図８に第二保持部材５０の分解斜視図を示した。第二保持部材５０は図８からわかるように、連結部材５１、連結棒５４、おさえ部材５５、５５、操作部材５６、及び固定部材５７を有している。
連結部材５１はさらに棒体５２と、ガススプリング連結部５３とを備えている。棒体５２は丸棒であり、その外周面はネジ溝が設けられたネジ部５２ａとされている。一方、ガススプリング連結部５３は、棒体５２の一端に取り付けられた部材で断面コ字状の部材である。当該断面コ字状である真中に備えられる片の外側が棒体５２の一端面に取り付けられている。また、断面コ字状である対向する片の先端部には、底面が半円状である溝５３ａ、５３ａが設けられている。
【００３３】
連結棒５４は丸棒であり、その径はガススプリング連結部５３の溝５３ａ、５３ａの内側に挿入することができる大きさとなっている。また、連結棒５４の両方の端部５４ａ、５４ａは若干細く形成されている。この端部５４ａ、５４ａの径は、上記した基体２３、２３のスリット２３ｂ、２３ｂ（図３参照）と略同一、又は若干小さいものとされている。
【００３４】
おさえ部材５５、５５は環状の部材で、その内側に連結棒５４を挿入することができる。これにより後述するように、連結部材５１、連結棒５４、及びガススプリング４０の連結を安定したものとすることができる。
【００３５】
操作部材５６は厚肉円筒状の部材で、その内面には連結部材５１のネジ部５２ａに螺合するネジ溝５６ａが形成されている。また、操作部材５６の外周面には、孔５６ｂ、５６ｂ、…が設けられている。これにより操作部材５６を連結部材５１のネジ部５２ａに螺合した状態で当該孔５６ｂ、５６ｂ、…に工具等を差し込んで操作部材５６を回動させることができる。
【００３６】
固定部材５７は、厚肉円筒状である円筒部５７ａ、及び固定部５７ｃ、５７ｃを有している。円筒部５７ａの貫通孔５７ｂの径は、連結部材５１の棒体５２の径より大きく、操作部材５６の外周の径よりも小さく形成されている。これにより、操作部材５６は固定部材５７の貫通孔５７ｂの内側に入れずに該固定部材５７の一方側に留まるとともに、連結部材５１の棒体５２は、貫通孔５７ｂ内を移動することが可能となる。
固定部５７ｃは円筒部５７ａの外周面の対向する位置から該外周面に立設するような形状となっている。これにより固定部材５７の一方向の幅が広げられる。当該広げられた幅の大きさは、上記した基体２３、２３（図３参照）間と略同じになるようにされている。また、固定部５７ｃの端面にはネジ穴５７ｄ、５７ｄが設けられ、ここに不図示のネジがはめ込まれて基体２３、２３（図３参照）に固定される。これにより第二保持部材５０が基体２３、２３に固定され、これを介してガススプリング４０の他端も基体２３、２３に固定される。
【００３７】
ここまで説明した第一保持部材３０、ガススプリング４０、及び第二保持部材５０の組み立ては以下に説明するようにおこなわれる。図５は、当該第一保持部材３０、ガススプリング４０、及び第二保持部材５０が組み合わされた場面で、これらが基体２３、２３（図３参照）に取り付けられたときの姿勢を表した図である。また、図９は図５にＥで示した部位を拡大した図、図１０は図５にＦで示した部位を拡大した図である。
【００３８】
ガススプリング４０と第二保持部材５０との連結は次の通りである。すなわち、図５、図９に示したように、ガススプリング４０のシリンダ側連結部４４の貫通孔４４ａ（図７参照）に連結棒５４が通される。そして連結棒５４の両端部にはおさえ部材５５、５５が嵌め込まれる。このとき連結棒５４の端部５４ａ、５４ａはおさえ部材５５、５５の外に突出するように該おさえ部材５５、５５が嵌め込まれる。このように連結棒５４、及びおさえ部材５５、５５がガススプリング４０のシリンダ側連結部４４に取り付けられた状態で、シリンダ側連結部４４の先端がガススプリング連結部５３のコ字状の内側に挿入されるとともに、連結棒５４が２つの溝５３ａ、５３ａ内に渡されるように配置される。これにより、通常は、ガススプリング４０と第二保持部材５０とは連結されているが、図９にＧで示した矢印の方向にガススプリング４０を第二保持部材５０から抜き取ることができる。また連結棒５４の小径である端部５４ａ、５４ａは、基体２３、２３のスリット２３ｂ、２３ｂ内に配置される（図３参照）。
一方、棒体５２のネジ部５２ａには操作部材５６が螺合されるとともに、該棒体５２の端部は基体２３、２３に固定された固定部材５７の貫通孔５７ｂに通される。
【００３９】
ガススプリング４０と第一保持部材３０との連結は次の通りである。すなわち、図５、図１０に示したように、ガススプリング４０のロッド側連結部４３の貫通孔４３ａ（図７参照）に連結棒３５が通される。このように連結棒３５がガススプリング４０のロッド側連結部４３に取り付けられた状態で、ロッド側連結部４３の先端がガススプリング連結部３４のコ字状である内側に挿入されるとともに、連結棒３５が２つの溝３４ａ、３４ａ内に渡されるように配置される。これにより、通常は、ガススプリング４０と第一保持部材３０とは連結されているが、図１０にＨで示した矢印の方向にガススプリング４０を第一保持部材３０から抜き取ることができる。
【００４０】
一方、連結部材３２の昇降部３３は固定部材３１の下方に配置されるとともに、ネジ孔３３ａが昇降操作部材３６のネジ溝に螺合される。ここで、昇降部３３は、固定部材３１の溝３１ｂ内を昇降することができるが、ガススプリング４０が機能している状態（通常の使用状態）においては、昇降部３３は、固定部材３１の下方に配置される。
【００４１】
また、固定部材３１は不図示のネジによってケース２２と連結しており、ここに図５、図１０に矢印Ｋで示したガススプリング４０の反力を作用させている。これにより、当該反力が、リンク機構を介して第二アーム２０に対してその動きを妨げるいわゆるブレーキとして作用して保持力を生じ、第二アーム２０を所定位置に保持させることができる。
【００４２】
ここで、通常の状態においてこのような反力を生じさせるため、図５にＥで示した部分からわかるように、棒体５２のより多くの部分を固定部材５７よりガススプリング４０側に配置させる。これによりガススプリング４０のシリンダ４１が図５にＪで示した矢印方向に移動し、その移動量に応じた反力を発生させることができる。棒体５２を移動させるためにはここに螺合している操作部材５６を回動させることによりおこなう。このように、歯科用照明装置１０では、ガススプリング４０の反力、すなわちアームの保持力を容易に調整することも可能である。
【００４３】
図３に戻り、引き続き基体２３、２３に備えられる部材について説明する。エアシリンダ２８は、第二アーム２０の移動を手動によらず例えば不図示のパネルスイッチ等で上下させるための動力源である。従って、歯科用照明装置１０では、照明ヘッド１３の把手１５、１５を掴んで直接照明ヘッド１３を上下させる他、不図示のパネルスイッチ等によっても移動されることができるように構成されている。
【００４４】
リミットスイッチ２９は、上記エアシリンダ２８を用いて第二アーム２０を上下させたときに、照明ヘッド１３や第二アーム２０が人や他の部材、機器に衝突しないようにその移動範囲を制限するスイッチである。これにより、手動によらない照明ヘッド１３の移動における安全が図られている。
【００４５】
連結アーム６０は、第二アーム２０を第一アーム１２に連結する部材で、その一端側が第一アーム１２に、他端側が第二アーム２０にそれぞれ軸着されている。ここで、連結アーム６０と第二アーム２０との連結は次のように行われている。図１１に説明のための図を示した。連結アーム６０は、第二アーム２０と２つの軸、すなわち基体側軸６１とケース側軸６２により連結されている。図１１ａに示したように、連結アーム６０と基体２３、２３とは基体側軸６１により軸着されている。一方、図１１ｂに示したように連結アーム６０とケース２２とはケース側軸６２により軸着されている。これにより後述するようなリンク機構が形成される。
【００４６】
連結アーム６５は、第二アーム２０を照明ヘッド１３に連結する部材で、その一端側が照明ヘッド１３に、他端側が第二アーム２０にそれぞれ軸着されている。ここで、連結アーム６５と第二アーム２０との連結は次のように行われている。図１２に説明のための図を示した。連結アーム６５は、第二アーム２０と２つの軸、すなわち基体側軸６３とケース側軸６４により連結されている。図１２（ａ）に示したように、連結アーム６５と基体２３、２３とは基体側軸６３により軸着されている。一方、図１２（ｂ）に示したように連結アーム６０とケース２２とはケース側軸６４により軸着されている。これにより後述するようなリンク機構が形成される。
【００４７】
以上説明したような第二アーム２０により次のようなリンク機構が形成される。図１３に当該リンク機構を概念的に示した。すなわち、基体２３、２３、連結アーム６５、ケース２２、及び連結アーム６０により４節のリンク機構が形成される。そして基体２３、２３とケース２２とを渡すようにブレーキ２４及びガススプリング４０が設けられており、４節リンク機構の動きを規制している。これにより第二アーム２０を所定の位置に保持することが可能となる。
【００４８】
以上説明したように、歯科用照明装置１０では、第一保持部材３０と第二保持部材５０とによりガススプリング４０を挟持している。したがって、ガススプリング４０の交換を容易にして保守性に優れるものとすることができる。以下に具体的にガススプリング４０をとりはずす手順について説明する。
【００４９】
はじめに通常の状態である図５に示した姿勢から第二保持部材５０の操作部材５６を回動させて、図１４に示した状態にする。これにより、操作部材５６とネジ部５２ａとの関係からガススプリング連結部５３、及びガススプリング４０のシリンダ部４１が図１４に矢印Ｌで示した方向に移動する。シリンダ部４１の当該矢印Ｌの方向への移動はガススプリング４０が生じる反力を下げる方向への移動であるから、これによりガススプリング４０の反力を下げることができる。このとき、基体２３、２３のスリット２３ｂ、２３ｂ内に配置されている連結棒５４の端部５４ａ、５４ａは当該スリット２３ｂ、２３ｂ内を移動する。
【００５０】
次に第一保持部材３０において、図１５ａに示した姿勢から昇降操作部材３６を操作して図１５ｂに示した姿勢とする。すなわち昇降操作部材３６を回動させて連結部材３２の昇降部３３を上昇させる。これにより当該昇降部３３を溝３１ｂ内を上昇する。本実施形態ではこのように、連結部材３２を昇降可能とすることにより、取り外しの際における他部材への干渉を防止することができる。従って、よりコンパクトに各部材を収めることが可能となる。
【００５１】
これによりガススプリング４０のロッド側連結部４３と第一保持部材３０とを離脱させるとともに、シリンダ側連結部４４と第二保持部材５０とを離脱可能となる。一方、離脱させたガススプリング４０や交換用のガススプリングを第一保持部材３０、第二保持部材５０に取り付けるには、上記手順を逆におこなえばよい。
【００５２】
このように、本発明の歯科用照明によれば、ガススプリングのメンテナンスや着脱をするに際し、他の部材をはずす必要がない。従って当該メンテナンス、ガススプリングの交換を容易におこなうことが可能となる。
【００５３】
以上、現時点においてもっとも実践的であり、かつ、好ましいと思われる実施形態に関連して本発明を説明したが、本発明は本願明細書中に開示された実施形態に限定されるものではなく、特許請求の範囲及び明細書全体から読み取れる発明の要旨、又は思想に反しない範囲で適宜変更可能であり、そのような変更を伴う歯科用照明装置もまた本発明の技術的範囲に包含されるものとして理解されなければならない。
【図面の簡単な説明】
【００５４】
【図１】第一実施形態に係る本発明の歯科用照明装置の外観図である。
【図２】図１に示した歯科用照明装置のうち第二アームのケースをはずした図である。
【図３】第二アームに注目した図である。
【図４】ブレーキの分解斜視図である。
【図５】第一保持部材、第二保持部材、及びガススプリングを拡大した図である。
【図６】第一保持部材の分解斜視図である。
【図７】ガススプリングの外観斜視図である。
【図８】第二保持部材の分解斜視図である。
【図９】図５にＥで示した部分の斜視図である。
【図１０】図５にＦで示した部分の斜視図である。
【図１１】連結アームと第二アームとの連結を説明するための図である。
【図１２】連結アームと第二アームとの連結を説明するための図である。
【図１３】リンク機構の概念図である。
【図１４】ガススプリングを離脱する手順を説明する図である。
【図１５】ガススプリングを離脱する手順を説明する図である。
【符号の説明】
【００５５】
１０  歯科用照明装置
１１  支柱
１２  第一アーム
１３  照明ヘッド
１４  保持部材
１５  把手
１６  フレーム
１７  前面パネル
１８  カバー
２０  第二アーム
２１  ケース
２２  ケース
２３  基体
２３ａ  孔
２３ｂ  スリット
２４  ブレーキ
２５  本体
２５ａ  貫通孔
２５ｂ  孔
２６  弾性部材
２７  連結部材
２８  エアシリンダ
２９  リミットスイッチ
３０  第一保持部材
３１  固定部材
３１ａ  孔
３１ｂ  溝
３１ｃ  孔
３２  連結部材
３３  昇降部
３３ａ  ネジ孔
３４  ガススプリング連結部
３４ａ  溝
３５  連結棒
３６  昇降操作部材
３６ａ  ネジ溝
３６ｂ  操作部
４０  ガススプリング
４１  シリンダ
４２  ロッド
４３  ロッド側連結部
４３ａ  貫通孔
４４  シリンダ側連結部
４４ａ  貫通孔
５０  第二保持部材
５１  連結部材
５２  棒体
５２ａ  ネジ部
５３  ガススプリング連結部
５３ａ  溝
５４  連結棒
５４ａ  端部
５５  おさえ部材
５６  操作部材
５６ａ  ネジ溝
５６ｂ  孔
５７  固定部材
５７ａ  円筒部
５７ｂ  貫通孔
５７ｃ  固定部
５７ｄ  ネジ穴
６０  連結アーム
６１  基体側軸
６２  ケース側軸
６３  基体側軸
６４  ケース側軸
６５  連結アーム
【図１】
2010075276.tif 000003
【図２】
2010075276.tif 000004
【図３】
2010075276.tif 000005
【図４】
2010075276.tif 000006
【図５】
2010075276.tif 000007
【図６】
2010075276.tif 000008
【図７】
2010075276.tif 000009
【図８】
2010075276.tif 000010
【図９】
2010075276.tif 000011
【図１０】
2010075276.tif 000012
【図１１】
2010075276.tif 000013
【図１２】
2010075276.tif 000014
【図１３】
2010075276.tif 000015
【図１４】
2010075276.tif 000016
【図１５】
2010075276.tif 000017